(57)【要約】      （修正有）【課題】ネックレスチェーン等の索体にチャームを取り付ける場合に索体が空回りしないようにチャームを体の正面に位置させた状態に装着することができ、また、装身具を製造する際の部品点数を増やすことなく製造コストを抑えることができるクラスプを提供する。【解決手段】装飾品となるチャーム２を吊り下げる索体３の一端に取り付けられた掛止具４Ａを他端に取り付けられた受止具４Ｂに着脱可能に係合させることにより索体３を環状に連結してクラスプ１を形成する。さらに、チャーム２を取り付けるチャーム取付リング６が受止具４Ｂの中央下端側に形成されると共に、掛止具４Ａ及び受止具４Ｂを互いに係合させた状態で、チャーム取付リング６を通る中心線に対して実質的に左右対称となるように索体２を取り付ける索体取付部５Ａ，５Ｂを形成した。【選択図】図３
0003174129.tif 000002
【実用新案登録請求の範囲】
【請求項１】
装飾品となるチャームを吊り下げる索体の一端に取り付けられた掛止具を他端に取り付けられた受止具に着脱可能に係合させることにより当該索体を環状に連結するクラスプにおいて、
前記チャームを取り付けるチャーム取付リングが前記受止具の中央下端側に形成されると共に、
前記掛止具及び受止具を互いに係合させた状態で、チャーム取付リングを通る中心線に対して実質的に左右対称となるように前記索体を取り付ける索体取付部が形成されたことを特徴とするクラスプ。
【請求項２】
前記受止具には、前記索体による引張力が作用する左右方向に対してこれと直交する前後方向に前記掛止具を係合する係合孔が形成され、前記掛止具が係合孔に係合した状態で磁力により前記受止具に固定される請求項1又は２記載のクラスプ。
【請求項３】
前記掛止具及び受止具が、前記係合孔の軸線方向に対して回動不能に係合する係止構造を備えた請求項３記載のクラスプ。
【請求項４】
前記掛止具は、前記索体端部に固定される索体取付部が形成されたプラグの先端に、前記受止具に形成された挿込孔に挿入される挿込ピンが形成されると共に、当該挿込ピンの先端周面には、その周方向に沿って係合溝が形成され、
前記受止具に形成された挿込孔には、前記挿込ピンを摺動案内する円筒スリーブが嵌着され、
当該スリーブは、挿込孔奥側の開口端部に複数のすり割片が形成されると共に、当該すり割片が内側に屈曲されて前記挿込ピンの係合溝にスナップ止めされる係合爪に形成されて成る請求項１又は２記載のクラスプ。
【考案の詳細な説明】
【技術分野】
【０００１】
本考案は、ネックレス用チェーンなどの索体を連結するクラスプに関するものである。
【背景技術】
【０００２】
装身具としてのネックレスは、ネックレスチェーン（索体）のみを首に掛けて使用する場合と、その正面側にチャーム（装飾品）を吊り下げて使用する場合があり、いずれの場合も、チェーンには、その両端に対となる掛止具及び受止具からなるクラスプが取り付けられ、これらを連結することにより環状にして首にかけるようになっている。
【０００３】
そして、チャーム付きのネックレスには、中央にチャームを取り付ける特殊な加工が施されたネックレスチェーンを用いるタイプと、任意のネックレスチェーンに任意のチャームを交換可能に取り付けるタイプがあり、ネックレスチェーンとチャームの自由な組み合わせを楽しむことができることから、後者のタイプが人気を博している。
【０００４】
任意のチェーンに任意のチャームを交換可能に取り付けるタイプとしては、例えば、図１２（ａ）に示すように、チャーム取付用リング６１にネックレスチェーン６２を挿通して、その取付用リング５１にチャーム６３を取り付け、あるいは、チャームに取り付けられたチェーン挿通用リングにネックレスチェーンを挿通した状態で、そのチェーン６２の両端に取り付けられたクラスプ（図示せず）を首の後ろで連結して装着するようにしている。
【０００５】
この場合、チャーム６３は、比較的重いので常に体の正面側に位置するが、チャーム６３はチェーン６２に対して固定されていないので、体を動かしている間にチェーン６２のみが回転してしまい、首の後ろに位置するクラスプが、正面から見える位置に移動してしまう場合がある。
【０００６】
このため、チェーン６２の正面にチャーム取付用の留め具を固定することにより、背面側に位置するクラスプを移動させないようにした留め具も提案されている（特許文献１参照）。
図１２（ｂ）は、このような留め具６４を示し、チェーン６２を構成するリング６２ａに掛け止める引き輪６５が上端側に形成され、下端にチャーム取付リング６６が形成されている。
そして、留め具６４のチャーム取付リング６６にチャーム６３を取り付けて、上端の引き輪６５の掛け金６５ａをチェーン６２を構成するリング６２ａに掛け止め、このチェーン６２の両端を首の後ろで連結すれば、チャーム６３はチェーン６２に対して固定されているので、チャーム６３が正面にある限り、チェーン６２が空回りすることもない。
【０００７】
しかしながら、この留め具６４は、引き輪５５の掛け金６５ａをチェーン６２のリング６２ａに通して取り付けるものであるから、掛け金６５ａを挿通し得る程度の内径を有するリング６２ａが使用されていなければ、留め具６４をチェーン６２に固定することができないという問題があった。
すなわち、繊細な加工が施された高価な網紐状チェーン等のように、リングを用いないタイプの索体、あるいは、リングを用いるにしても、非常に小さなリングを連続させたものについては、留め具６４を取り付けることができない。
【０００８】
さらに、製造業者であれば、チェーンの中央にチャームを吊り下げる留め具を予め加工することも可能であるが、その場合は、チェーンの両端に連結用のクラスプを取り付け、中央部にチャーム取付用の留め具を取り付ける加工を施さなければならないため、最終製品の部品点数が増えて工賃及び部品代が嵩むだけでなく、製造コストがアップするという問題がある。
【先行技術文献】
【特許文献】
【０００９】
【特許文献１】特開２００５−１９８９３０号公報
【考案の概要】
【考案が解決しようとする課題】
【００１０】
そこで本考案は、索体にチャームを取り付ける場合に索体が空回りしないようにチャームを体の正面に位置させた状態に装着することができ、また、ネックレスなどの装身具を製造する場合に部品点数を増やすことなく製造コストを抑えることができるようにすることを技術的課題としている。
【課題を解決するための手段】
【００１１】
この課題を解決するために、本考案は、装飾品となるチャームを吊り下げる索体の一端に取り付けられた掛止具を他端に取り付けられた受止具に着脱可能に係合させることにより当該索体を環状に連結するクラスプにおいて、前記チャームを取り付けるチャーム取付リングが前記受止具の中央下端側に形成されると共に、前記掛止具及び受止具を互いに係合させた状態で、チャーム取付リングを通る中心線に対して実質的に左右対称となるように前記索体を取り付ける索体取付部が形成されたことを特徴としている。
【考案の効果】
【００１２】
本考案に係るクラスプを、例えばネックレスに使用する場合、掛止具及び受止具を索体となるネックレスチェーンの両端に取り付け、受止具にチャームを取り付けた後、当該チェーンを首に掛けた状態で掛止具と受止具を体の正面側で連結すれば、ネックレスチェーンが環状に連結される。
【００１３】
このとき、チェーン両端にクラスプを取り付ける加工は従来とおりであるが、クラスプを取り付けてしまえば、そのクラスプにチャームを取り付けることができるので、チャームを取り付けるためにクラスプとは異なる別の留め具をチェーンに掛け止めたり、取付加工したりする面倒がなく、したがって、チャームを簡単にチェーンに取り付けることができる。
【００１４】
したがって、ネックレスなどの装身具を製造する場合に部品点数を増すことなく製造コストを抑えることができる。
またこのとき、チャームはクラスプを介してチェーンに対して定位置に固定されるだけでなく、自重により常に体の正面に位置することになるので、チェーンのみが空回りすることはない。
【００１５】
さらに、ネックレスチェーンを連結したクラスプは、首の後ろ側ではなく、チャームと同じく体の正面に位置することになるが、チャームの形状によってはその裏側に隠れてしまい、また、チャームで隠れないときであってもチャームを吊り下げる留め具として機能しているので、不自然さも全くない。
【図面の簡単な説明】
【００１６】
【図１】本考案に係るクラスプの一例を示す背面側分解組立図。
【図２】その正面側組立図。
【図３】使用状態を示す説明図。
【図４】本考案に係るクラスプの他の例を示す背面側分解組立図。
【図５】その正面側分解組立図。
【図６】その係合状態を示す背面側斜視図。
【図７】本考案に係るクラスプのさらに他の例を示す正面側分解組立図。
【図８】その背面側分解組立図。
【図９】本考案に係るクラスプのさらに他の例を示す分解組立図。
【図１０】その使用状態を示す断面図。
【図１１】本考案に係るクラスプのさらに他の例を示す説明図。
【図１２】従来のクラスプを用いたネックレスを示す説明図。
【考案を実施するための形態】
【００１７】
本例では、索体の形状にかかわらず、チャームを常に体の正面に位置させて、索体が空回りしないようにするという目的を達成するために、装飾品となるチャームを吊り下げる索体の一端に取り付けられた掛止具を他端に取り付けられた受止具に着脱可能に係合することにより当該索体を環状に連結するクラスプにおいて、前記チャームを取り付けるチャーム取付リングが前記受止具の中央下端側に形成されると共に、前記掛止具及び受止具には、これらを互いに係合させた状態で、チャーム取付リングを通る中心線に対して実質的に左右対称となるように前記索体を取り付ける索体取付部を形成した。
【実施例１】
【００１８】
図１〜図３に示すクラスプ１は、装飾品となるチャーム２を吊り下げるチェーン（索体）３の一端に取り付けられる掛止具４Ａを、当該チェーン３の他端に取り付けられた受止具４Ｂに着脱可能に装着することにより当該チェーン３を環状に連結するものである。
【００１９】
掛止具４Ａ及び受止具４Ｂには、それぞれにチェーン取付リング（索体取付部）５Ａ及び５Ｂが形成され、受止具４Ｂには、その中央下端側にチャーム２を取り付けるチャーム取付リング６が形成されている。
また、前記チェーン取付リング５Ａ及び５Ｂは、掛止具４Ａ及び受止具４Ｂを互いに係合させた状態で、チャーム取付リング６を通る中心線Ｙに対して実質的に左右対称に位置するように形成されている。
【００２０】
掛止具４Ａは、受止具４Ｂに形成された係合孔７Ｂに遊嵌される係止部７Ａが形成され、当該係止部７Ａは係合孔７Ｂに係合された状態で磁性体である受止具４Ｂを吸着し得るように磁石９を取り付ける磁石取付凹部８が形成されている。
【００２１】
受止具４Ｂに形成された係合孔７Ｂは、チェーン３による引張力が作用する左右方向Ｘに対して、これと直交する前後方向Ｚに形成されており、掛止具７Ａを前後方向Ｚに挿脱可能に、且つ、左右方向Ｘには挿脱不能に保持することができる。
また、係止部７Ａ及び係合孔７Ｂは、互いに係合された状態で係合孔７Ｂの軸線方向の周りに回動しないように断面方形に形成されており、この断面形状が掛止具４Ａ及び受止具４Ｂを回動不能に係合する係止構造となっている。
【００２２】
以上が、本考案の一構成例であって、次にその作用について説明する。
まず、チェーン３の両端を、係止具４Ａ及び受止具４Ｂのチェーン取付リング５Ａ及び５Ｂに取り付ける。
通常のチェーン３は、両端に引き輪などの連結具が予め設けられている場合は、これをチェーン取付リング５Ａ及び５Ｂに連結させればよく、そのような連結具が設けられていない場合は、Ｃ環その他の市販パーツを用いて連結すればよい。
もちろん、製造業者が、係止具４Ａ及び受止具４Ｂを両端に固定したチェーン３として販売しても良いことはもちろんである。
【００２３】
そして、受止部４Ｂのチャーム取付リング６に任意のチャーム３を取り付けた状態で、掛止具４Ａの係止部７Ａを、受止具４Ｂの背面側から係合孔７Ｂに遊嵌させて掛け止めれば、係止具４Ａに設けられた磁石９に受止具４Ｂが吸着され、強固に係合する。
このとき、チャーム２をクラスプ１に取り付けることができ、他の留め具を使用する必要がないので、装身具を製造する場合に部品点数を増やすことなく製造コストを抑えることができる。
また、掛止具４Ａは受止具４Ｂの係合孔７Ｂに対して、引張力が作用する左右方向Ｘと直交する前後方向Ｚに挿脱可能に係合され、左右方向Ｘには挿脱不能であるので、チェーン３を介して左右方向に引っ張り力が作用しても外れることがない。
【００２４】
この状態で、チャーム２が体の正面に位置するようにチェーン３を調整すれば、体が動くことがあっても、チャーム２はクラスプ１によりチェーン３に対して定位置に固定されており、しかも、自重により常に体の正面に位置することになるので、チェーン３のみが空回りすることもない。
【００２５】
掛止具４Ａ及び受止具４Ｂが回動可能に係合されている場合は、左右のチェーン３の引張力のバランスが崩れたときに回動して、各リング５Ａ、５Ｂ、６の相対位置が変化し、この場合、掛止具４Ａ及び受止具４Ｂ間の摩擦によっては、元に戻らないことがある。
本考案では、掛止具４Ａ及び受止具４Ｂは回動不能に係合され、チェーン取付リング５Ａ及び５Ｂは、掛止具４Ａ及び受止具４Ｂを互いに係合させた状態で、チャーム取付リング６を通る中心線Ｙに対して実質的に左右対称に位置するように形成されているので、体の動きにより左右のチェーン３の引張力のバランスが崩れたときに、クラスプ１全体が傾くことはあっても前記各リング５Ａ、５Ｂ、６の相対位置が変化することがない。
したがって、引張力がバランスしたときには、傾いていたクラスプ１が確実にもとの状態に戻る。
【００２６】
さらに、ネックレスチェーン３を連結したクラスプ１は、首の後ろ側ではなく、チャーム３と同じく体の正面に位置することになるが、チャーム３の形状によってはその裏側に隠れてしまい、また、チャーム３で隠れないときであってもチャーム３を吊り下げる留め具として機能しているので不自然さが全くない。
【実施例２】
【００２７】
図４〜図６に、本考案に係る他のクラスプ１１を示す。なお、図１〜３と共通する部分は同一符号を付して詳細説明を省略する。また、本実施例においては、チェーン２及びチャーム３は図示を省略するが、取付状態は図３と同様である。
本例のクラスプ１１も、掛止具４Ａと受止具４Ｂとから成り、それぞれにチェーン取付リング（索体取付部）５Ａ及び５Ｂが形成され、受止具４Ｂには、その中央下端側にチャーム２を取り付けるチャーム取付リング６が形成され、チェーン取付リング５Ａ及び５Ｂは、掛止具４Ａ及び受止具４Ｂを互いに係合させた状態で、チャーム取付リング６を通る中心線（図示せず）に対して実質的に左右対称に位置するように形成されている。
【００２８】
掛止具４Ａは、全体が磁性体で形成されると共に、クラスプ１１の前面を覆うフランジ１２の左右片側に立てられた側壁１３に前記チェーン取付リング５Ａが形成されている。
また、側壁１３の内側が、チェーン３による引張力が作用する左右方向Ｘに対してこれと直交する前後方向Ｚを中心とする凹状円弧面１４Ａに形成され、フランジ１２の背面には、凹状円弧面１４Ａの中心から偏心してＺ方向に延びる円柱状の嵌合支柱１５Ａが立設されている。
【００２９】
受止具４Ｂは、チェーン取付リング５Ｂが形成された側面と反対側の側面が、掛止具４Ａの凹状円弧面１４Ａと摺接する凸状円弧面１４Ｂに形成されると共に、これら各円弧面１４Ａ及び１４Ｂを摺接させた状態で掛止具４Ａの嵌合支柱１５Ａに遊嵌される係合孔１５Ｂが形成されている。
また、掛止具４Ａのフランジ１２の背面に摺接される部分に磁石取付凹部１６が形成され、当該凹部１６に磁石９が固着されている。
【００３０】
なお、掛止具４Ａを受止具４Ｂに対して係合させたときに、嵌合支柱１５Ａ及び係合孔１５Ｂの軸線と、前記円弧面１４Ａ及び１４Ｂの中心がずれているので、これが、掛止具４Ａ及び受止具４Ｂを回動不能に係合する係止構造となっている。
本例のクラスプ１１の作用効果は、実施例１のクラスプ１と全く同様である。
【実施例３】
【００３１】
図７及び図８に、本考案に係る他のクラスプ２１を示す。なお、図１〜３と共通する部分は同一符号を付して詳細説明を省略する。
本例のクラスプ２１も、掛止具４Ａと受止具４Ｂとからなる点で共通し、それぞれにチェーン取付リング（索体取付部）５Ａ及び５Ｂが形成され、受止具４Ｂには、その中央下端側にチャーム２を取り付けるチャーム取付リング６が形成され、チェーン取付リング５Ａ及び５Ｂは、掛止具４Ａ及び受止具４Ｂを互いに係合させた状態で、チャーム取付リング６を通る中心線（図示せず）に対して実質的に左右対称に位置するように形成されている。
【００３２】
また、本例のクラスプ２１が、実施例１及び２と異なる点は、前面及び背面の双方から見ても、掛止具４Ａと受止具４Ｂの境界線が現れない構造となっている点にある。
【００３３】
具体的に、掛止具４Ａは、全体が磁性体で形成されると共に、クラスプ２１の前面を覆うフランジ２２の裏面側に、チェーン３による引張力が作用する左右方向Ｘに対してこれと直交する前後方向Ｚに２本の係合支柱２３Ａ，２４Ａが立設され、その一方の係合支柱２３Ａにチェーン取付リング５Ａが設けられている。
【００３４】
受止具４Ｂは、掛止具４Ｂで覆われるブロック体２５の側面にチェーン取付リング５Ｂが形成されると共に、下端部にチャーム取付リング６が形成されている。
そして、掛止具のフランジ２２で覆われる前面側に十字溝２６が形成され、その縦溝部２６ａに磁石９が挿入されて固着され、その横溝部２６ｂは、前記磁石９の両側部分が、掛止具４Ａの係合支柱２３Ａ，２４Ａを遊嵌する係合孔２３Ｂ、２４Ｂとして機能する。
なお、一方の係合孔２３Ｂは側面が開放され、掛止具４Ａを係合させたときに係合支柱２３Ａに形成されたチェーン取付リング５Ａが、受止具４Ａを構成するブロック体２５の側面中央に位置するようになされている。
【００３５】
本例のクラスプ２１の作用効果は、基本的には実施例１〜２と共通である。
実施例１〜２とは異なる格別の作用効果は、前面から見ても背面から見ても掛止具４Ａと受止具４Ｂの境界線が見えず、どちらを正面にして使用することもできる点にある。
したがって、チャーム３を取り付ける際に、その方向を考慮する必要がないので、使用上非常に便利である。
【実施例４】
【００３６】
図９及び図１０に示すクラスプ３１も、掛止具３２Ａと受止具３２Ｂとからなる点で共通し、それぞれにチェーン取付リング（索体取付部）５Ａ及び５Ｂが形成され、受止具３２Ｂには、その中央下端側にチャーム２を取り付けるチャーム取付リング６が形成され、チェーン取付リング５Ａ及び５Ｂは、掛止具４Ａ及び受止具４Ｂを互いに係合させた状態で、チャーム取付リング６を通る中心線（図示せず）に対して実質的に左右対称に位置するように形成されている。
【００３７】
掛止具３２Ａは、チェーン取付リング５Ａが形成されたプラグ３３の先端に、受止具３２Ｂに形成された挿込孔３４Ｂに挿入される挿込ピン３４Ａが形成されると共に、当該挿込ピン３４Ａの先端側周面には、その周方向に沿って係合溝３５が形成されている。
これにより、挿込ピン３４Ａは、当該係合溝３５を挟んで根元側にピン軸３６が形成され、先端側にピン軸３６と等しい外径のピンヘッド３７が形成されることとなる。
なお、ピンヘッド３７の係合溝３５側の角部は４５°面取り（Ｃ仕上げ）又は丸面取り（Ｒ仕上げ）などの面取り加工が施され、後述する係合爪４３が係合溝３５にスナップ止めされたときに当該係合爪４３の先端が当接した状態に係合される顎部３７ａとなっている。
【００３８】
受止具３２Ｂは、底面側にチェーン取付リング５Ｂが形成され、外周面にチャーム取付リング６が形成され、内周面が前記挿込孔３４Ｂに形成された有底シリンダ３８と、その挿込孔３４Ｂに強固に締まり嵌めされる円筒スリーブ４０から成る。
挿込孔３４Ｂの深さ（長さ）は、挿込ピン３４Ａを挿入したときにプラグ３３が挿通孔３４Ｂの開口端に当接されるように挿込ピン３４Ａの全長より大きく形成されている。
【００３９】
円筒スリーブ４０は、挿通孔３４Ｂに挿入された挿込ピン３４Ａを摺動案内すると共に、係合状態に固定するためのもので、挿込ピン３４Ａの外径と略等しい内径を有している。
そして、挿込孔３４Ｂ奥側の開口部４１に複数のすり割片４２…が形成され、当該すり割片４２…が内側に屈曲されて挿込ピン３４Ａの係合溝３５にスナップ止めされる係合爪４３に形成されている。
また、円筒スリーブ４０の長さは、ピン軸３６の長さ以上で、且つ、係合溝３５の幅を加えた長さ以下に形成され、プラグ３３が挿通孔３４Ｂの開口端に当接するまで挿込ピン３４Ａを挿入した状態で、係合爪４３の先端が挿込ピン３４Ａの係合溝３５に引っ掛かるように形成されている。
【００４０】
係合爪４３は、より具体的には図１０（ｂ）に示すように、すり割片４２…を内側に屈曲させることにより、円筒スリーブ４０の内面側から連続する挿込テーパ面４４と、円筒スリーブ４０の開口端面が傾斜して形成された係止テーパ面４５を有する。
したがって、挿込ピン３４Ａを挿入する際は、挿込テーパ面４４がピンヘッド３７によって外側に圧されて係合爪４３が押し拡げられるように弾性変形する。
さらに、ピンヘッド３７が係合爪４３を通過して係合溝３５が係合爪４３に掛かる位置まで挿入されると、係合爪４３がバネ弾性により元の位置に戻り、係止テーパ面４５がピンヘッド３７の顎部３７ａに引っ掛かってスナップ止めされることとなる。
【００４１】
これにより、チェーン３を引っ張る左右方向Ｘに力が作用しても、簡単には掛止具３２Ａ及び受止具３２Ｂが外れることがない。
また、このときピンヘッド３７が円筒スリーブ４０の奥に形成された係合爪４０に係合溝３５が引っ掛かって固定されると同時に、挿込ピン３４Ａのピン軸３６が円筒スリーブ４０に摺接されて支持されるので、掛止具３２Ａを受止具３２Ｂに係合状態でガタツキが生じにくい。
【００４２】
掛止具３２Ａ及び受止具３２Ｂを外すときは、係合爪４３のバネ弾性に抗して左右方向Ｘに強く引っ張ると、ピンヘッド３７の顎部３７ａは面取りされたテーパ面となっているので、その顎部３７ａにより係止テーパ面４５が外側に圧されて、係合爪４３が外側へ押し拡げられるように弾性変形し、顎部３７ａと係合爪４３との係合が解かれる。
そして、さらに掛止具３２Ａが引き抜かれて、ピンヘッド３７が係合爪４３から離れると、係合爪４３がバネ弾性により元の位置に戻る。
【００４３】
本例でも、チャーム２をクラスプ１に取り付けることができ、他の留め具を使用する必要がないので、装身具を製造する場合に部品点数を増やすことなく製造コストを抑えることができる。
この状態で、チャーム２が体の正面に位置するようにチェーン３を調整すれば、体が動くことがあっても、チャーム２はクラスプ１によりチェーン３に対して定位置に固定されており、しかも、自重により常に体の正面に位置することになるので、チェーン３のみが空回りすることもない。
【実施例５】
【００４４】
図１１は本考案に係るさらに他のクラスプ５１を示す。
本例のクラスプ５１は、装飾品となるチャーム２を吊り下げるボールチェーン（索体）５２の一端に取り付けられた掛止具５３Ａを他端に取り付けられた受止具５３Ｂに着脱可能に係合させることによりボールチェーン５２を環状に連結するものである。
【００４５】
本例では、ボールチェーン５２の片端に取り付けられた球体５２ａが掛止具５３Ａとして用いられ、他端に取り付けられた球体５２ｂが受止具５３Ｂに連結されている。
受止具５３Ｂは、その両端部にボールチェーン５２を構成する球体を収容可能な楕円球殻状に形成され、その中央下端部には、チャーム２を取り付けるチャーム取付リング６が形成されている。
【００４６】
また、受止具５３Ｂの上部にボールチェーン５２の先端の球体５２ａ，５２ｂを落とし込む開口部５４が形成されると共に、当該開口部５４から左右両端に向ってスリット５５Ａ、５５Ｂが形成され、一方のスリット５５Ａには掛止具５３Ａとなる球体５２ａを着脱可能に係合させると共に、他方のスリット５５Ｂはボールチェーン５２の他端側の球体５２ｂを係合させた状態でカシメ固定されている。
【００４７】
本例では、受止具５３Ｂの両側に形成された各スリット５５Ａ及び５５Ｂが、ボールチェーン５２を取り付ける索体取付部として機能している。
そして、これにより、掛止具５３Ａ及び受止具５３Ｂを互いに係合させた状態で、チャーム取付リング６を通る中心線Ｙに対して実質的に左右対称となるようにボールチェーン５２が連結されることとなる。
【００４８】
本例のクラスプ５１も、掛止具５３Ａ及び受止具５３Ｂを索体となるボールチェーン５２の両端に取り付け、受止具５３Ｂにチャーム２を取り付けた後、当該チェーン５２を首に掛けた状態で掛止具５３Ａと受止具５３Ｂを体の正面側で連結すれば、ボールチェーン５２が環状に連結される。
そして、ボールチェーン５２の片端の球体５２ａを掛止具５３Ａとして使用することができるので、他端側に受止具５３Ｂを固定するだけでたり、部品点数もさらに少なくすることができる。
【００４９】
また、受止具５３Ｂにチャーム２を取り付けることができるので、チャームを取り付けるためにクラスプ５１とは異なる別の留め具をチェーン５２に掛け止めたり、取付加工したりする面倒がない。
このとき、チャーム２はクラスプ５１を介してチェーン５２に対して定位置に固定されるだけでなく、自重により常に体の正面に位置することになるので、チェーンのみが空回りすることはない。
【００５０】
なお上記実施例では、いずれもネックレスに使用する場合について説明したが、本考案はこれに限らず、ブレスレット、アンクレットなどに適用することもできる。
また、索体はチェーンに限るものではなく、また、索体取付部もチェーン取付リングに限らず、索体の種類に応じて任意の取付構造を採用することができる。
【産業上の利用可能性】
【００５１】
本考案は、ネックレス用チェーンなどの索体を連結するクラスプの用途に適用し得る。
【符号の説明】
【００５２】
１    クラスプ
２    チャーム
３    チェーン（索体）
４Ａ  掛止具
４Ｂ  受止具
５Ａ  チェーン取付リング（索体取付部）
５Ｂ  チェーン取付リング（索体取付部）
６    チャーム取付リング
Ｙ    中心線
Ｘ    左右方向
Ｚ    前後方向
９    磁石
【図１】
0003174129.tif 000003
【図２】
0003174129.tif 000004
【図３】
0003174129.tif 000005
【図４】
0003174129.tif 000006
【図５】
0003174129.tif 000007
【図６】
0003174129.tif 000008
【図７】
0003174129.tif 000009
【図８】
0003174129.tif 000010
【図９】
0003174129.tif 000011
【図１０】
0003174129.tif 000012
【図１１】
0003174129.tif 000013
【図１２】
0003174129.tif 000014
【手続補正書】
【提出日】平成23年12月26日(2011.12.26)
【手続補正１】
【補正対象書類名】実用新案登録請求の範囲
【補正対象項目名】全文
【補正方法】変更
【補正の内容】
【実用新案登録請求の範囲】
【請求項１】
装飾品となるチャームを吊り下げる索体の一端に取り付けられた掛止具を他端に取り付けられた受止具に着脱可能に係合させることにより当該索体を環状に連結するクラスプにおいて、
前記チャームを取り付けるチャーム取付リングが前記受止具の中央下端側に形成されると共に、
前記掛止具及び受止具を互いに係合させた状態で、チャーム取付リングを通る中心線に対して実質的に左右対称となるように前記索体を取り付ける索体取付部が形成されたことを特徴とするクラスプ。
【請求項２】
前記受止具には、前記索体による引張力が作用する左右方向に対してこれと直交する前後方向に前記掛止具を係合する係合孔が形成され、前記掛止具が係合孔に係合した状態で磁力により前記受止具に固定される請求項１記載のクラスプ。
【請求項３】
前記掛止具及び受止具が、前記係合孔の軸線方向に対して回動不能に係合する係止構造を備えた請求項２記載のクラスプ。
【請求項４】
前記掛止具は、前記索体端部に固定される索体取付部が形成されたプラグの先端に、前記受止具に形成された挿込孔に挿入される挿込ピンが形成されると共に、当該挿込ピンの先端周面には、その周方向に沿って係合溝が形成され、
前記受止具に形成された挿込孔には、前記挿込ピンを摺動案内する円筒スリーブが嵌着され、
当該スリーブは、挿込孔奥側の開口端部に複数のすり割片が形成されると共に、当該すり割片が内側に屈曲されて前記挿込ピンの係合溝にスナップ止めされる係合爪に形成されて成る請求項１記載のクラスプ。